(57)【特許請求の範囲】
【請求項１】
文字、記号、画像を表示する表示手段を有する情報処理装置において、
前記情報処理装置の操作を行うスイッチ部と、
前記表示手段に表示する前記文字、前記記号、前記画像のデータを記憶するメモリーと、
他の情報処理装置から無線通信によってデータを受信する無線通信手段と、
前記表示手段を制御して、前記無線通信手段によって受信されたデータに基づいて、前記表示手段に表示を行う表示制御手段と、を有し、
前記スイッチ部からの入力により前記表示手段に表示の指示がされたときに、前記メモリーに表示内容が記憶されている場合は前記メモリーに記憶されている前記表示内容を表示し、前記メモリーに表示内容が記憶されていない場合は前記無線手段を介して前記他の情報処理装置に対して前記表示内容を前記情報処理装置へ送信するように要求し、前記他の情報処理装置は前記要求に対して前記情報処理装置へ前記表示内容を送信し、
前記表示制御手段は前記表示内容を受信した後に前記表示内容を前記表示手段へ表示することを特徴とする情報処理装置。
【請求項２】
前記表示内容は、前記他の情報処理装置の表示画面に表示される内容と異なる内容であって、前記他の情報処理装置の表示画面に表示される内容と関連する下位の階層の内容であることを特徴とする請求項１に記載の情報処理装置。
【請求項３】
前記他の情報処理装置が中継局を介して公衆回線と接続し通話中の時であることを特徴とする請求項１乃至請求項２いずれかに記載の情報処理装置。
【請求項４】
文字、記号、画像を表示する表示手段を有する情報処理装置において、
前記情報処理装置の操作を行うスイッチ部と、
前記表示手段に表示する前記文字、前記記号、前記画像のデータを記憶するメモリーと、
他の情報処理装置から無線通信によってデータを受信する無線通信手段と、
前記表示手段を制御して、前記無線通信手段によって受信されたデータに基づいて、前記表示手段に表示を行う表示制御手段と、を有し、
前記スイッチ部からの入力により前記表示手段に表示の指示をするステップと、
前記表示手段に表示の指示がされたときに、前記メモリーに表示内容が記憶されている場合は前記メモリーに記憶されている前記表示内容を表示するステップと、前記メモリーに表示内容が記憶されていない場合は前記無線手段を介して前記他の情報処理装置に対して前記表示内容を前記情報処理装置へ送信するように要求するステップと、前記他の情報処理装置は前記要求に対して前記情報処理装置へ前記表示内容を送信するステップと、
前記表示内容を受信した後に前記表示内容を前記表示手段へ表示するステップと、
を有することを特徴とする情報処理方法。
【発明の詳細な説明】
【０００１】
【発明の属する技術分野】
この発明は、携帯電話、携帯型情報処理端末等の通信機能を備えた情報処理装置、情報処理方法およびその方法をコンピュータに実行させるプログラムを記録したコンピュータ読み取り可能な記録媒体に関する。
【０００２】
【従来の技術】
近年、携帯電話やモバイルコンピュータ等の通信機能を備えた携帯型の情報処理装置が普及し、操作者が移動する際に容易に携帯することができ、その情報処理装置を用いてどこでも通信をおこなうことが可能となっている。また、特に携帯電話は、より小型で軽量なものが要求されるとともに、会話だけでなく電子メール等各種情報をあつかうコミュニケーションツールとしての役割を果たすようになってきている。
【０００３】
【発明が解決しようとする課題】
ここで、携帯電話は、その構造から携帯電話本体の一部（スピーカー部分）を耳に当て会話をするため、会話中にスピーカー部分の近傍に通常設置されている表示画面を見ることはきわめて困難である。したがって、携帯電話に記憶された電話番号その他の情報を表示画面に表示させ、その表示画面の内容を確認しながら会話をすることができないという問題点があった。
【０００４】
また、携帯電話は、小型化を要求されるゆえに、情報を表示する表示画面も必然的に小型化され、一度に表示できる情報量は限られてしまう。特に、多くの情報や階層化された情報を携帯電話の表示画面で見るときには、その都度画面の表示内容を切り替える操作が必要となり、その操作がきわめて煩雑になるという問題点があった。
【０００５】
この発明は、上述した従来技術による問題を解決するため、情報処理装置に表示される表示内容を確認する際の操作者の利便性を向上させることが可能な情報処理装置、情報処理方法およびその方法をコンピュータに実行させるプログラムを記録したコンピュータ読み取り可能な記録媒体を提供することを目的とする。
【０００６】
【課題を解決するための手段】
上述した課題を解決し、目的を達成するために、本発明にかかる情報処理装置は、文字、記号、画像を表示する表示手段と、情報処理装置の操作を行うスイッチ部と、表示手段に表示する文字、記号、画像のデータを記憶するメモリーと、他の情報処理装置から無線通信によってデータを受信する無線通信手段と、表示手段を制御して無線通信手段によって受信されたデータに基づいて、表示手段に表示を行う表示制御手段と、を有し、スイッチ部からの入力により表示手段に表示の指示がされたときに、メモリー部に表示内容が記憶されている場合は前記メモリーに記憶されている表示内容を表示し、メモリーに表示内容が記憶されていない場合は無線手段を介して他の情報処理装置に対して表示内容を情報処理装置へ送信するように要求し、他の情報処理装置は要求に対して情報処理装置へ表示内容を送信し、表示制御手段は表示内容を受信した後に表示内容を表示手段へ表示することを特徴とする。
【０００７】
本発明によれば、前記他の情報処理装置の表示画面を見ることができないあるいは困難な場合であっても、その表示内容を容易に確認することができる。
【０００８】
また、本発明にかかる情報処理装置は、前記表示手段に表示される内容が、前記他の情報処理装置のバッテリー残量に関する情報であることを特徴とする。
【０００９】
本発明によれば、前記他の情報処理装置の表示画面を見ることができないあるいは困難な場合であっても、前記他の情報処理装置のバッテリー残量を容易に確認することができる。
【００１０】
また、本発明にかかる情報処理装置は、前記表示手段に表示される内容が、前記他の情報処理装置が外部装置との通信をおこなう際の通信の状態に関する情報であることを特徴とする。
【００１１】
本発明によれば、前記他の情報処理装置の表示画面を見ることができないあるいは困難な場合であっても、前記他の情報処理装置の通信状態（電波感度）を容易に確認することができる。
【００１２】
また、本発明にかかる情報処理装置は、文字、記号、画像を表示する表示手段と、他の情報処理装置から無線通信によってデータを受信する無線通信手段と、前記表示手段を制御して、前記無線通信手段によって受信されたデータに基づいて、前記他の情報処理装置の表示画面に表示される内容と異なる内容であって、前記他の情報処理装置の表示画面に表示される内容と関連する内容を表示する表示制御手段と、を備えたことを特徴とする。
【００１３】
本発明によれば、前記他の情報処理装置の表示画面に表示される表示内容と、その表示内容に関連する内容とを同時に見ることができる。
【００１４】
また、本発明にかかる情報処理装置は、前記表示手段に表示される内容が、前記他の情報処理装置の表示画面に表示される内容の下位の階層に存在する情報に関する内容であることを特徴とする。
【００１５】
本発明によれば、前記他の情報処理装置の表示画面に表示された表示内容と、その表示内容の下位の階層の内容とを同時に見ることができる。
【００１６】
また、本発明にかかる情報処理装置は、腕に装着可能な情報処理装置であることを特徴とする。
【００１７】
本発明によれば、常に携帯することが容易におこなえ、腕を持ち上げるだけで表示画面の内容を見ることができる。
【００１８】
また、本発明にかかる情報処理方法は、他の情報処理装置からデータを受信する受信工程と、前記受信工程によって受信されたデータに基づいて、前記他の情報処理装置の表示画面に表示される内容の全部または一部と同一の内容を表示する表示工程と、を含んだことを特徴とする。
【００１９】
本発明によれば、前記他の情報処理装置の表示画面を見ることができないあるいは困難な場合であっても、その表示内容を容易に確認することができる。
【００２０】
また、本発明にかかる情報処理方法は、他の情報処理装置からデータを受信する受信工程と、前記受信工程によって受信されたデータに基づいて、前記他の情報処理装置の表示画面に表示される内容と異なる内容であって、前記他の情報処理装置の表示画面に表示される内容と関連する内容を表示する表示工程と、を含んだことを特徴とする。
【００２１】
本発明によれば、前記他の情報処理装置の表示画面に表示される表示内容と、その表示内容に関連する内容とを同時に見ることができる。
【００２２】
また、本発明にかかる情報処理方法は、前記表示工程により表示される内容が、前記他の情報処理装置の表示画面に表示される内容の下位の階層に存在する情報に関する内容であることを特徴とする。
【００２３】
本発明によれば、前記他の情報処理装置の表示画面に表示された表示内容と、その表示内容の下位の階層の内容とを同時に見ることができる。
【００２４】
また、本発明にかかるコンピュータ読み取り可能な記録媒体は、前記方法をコンピュータに実行させるプログラムを記録したことを特徴とする。
【００２５】
本発明によれば、前記方法をコンピュータに実行させるプログラムを記録したことで、そのプログラムを機械読み取り可能となり、これによって、前記方法をコンピュータによって実現することができる。
【００２６】
【発明の実施の形態】
以下に添付図面を参照して、この発明にかかる情報処理装置、情報処理方法およびその方法をコンピュータに実行させるプログラムを記録したコンピュータ読み取り可能な記録媒体の好適な実施の形態を詳細に説明する。
【００２７】
（情報処理システムの構成）
図１は、本実施の形態にかかる情報処理装置を含む情報処理システムの構成例を示す説明図である。図１において、情報処理システムは、第１の情報処理装置（携帯電話）１００と、第２の情報処理装置（腕時計型情報処理装置）１０１と、第１の情報処理装置（携帯電話）１００と通信をおこなう中継局（基地局）１０２とから構成される。
【００２８】
第１の情報処理装置（携帯電話）１００は、携帯電話の他、ＰＨＳ、モバイル型のパーソナルコンピュータ、ポケットベル等、中継局（基地局）１０２と双方向あるいはいずれか一方向の通信をおこなうことが可能な情報処理装置である。ここで、携帯電話等における中継局（基地局）１０２との通信の内容については従来の技術を用いて実現可能であるため、その詳細な説明については省略する。また、第１の情報処理装置（携帯電話）１００は、その表面に表示画面１１０を備えており、表示画面１１０には、各種の文字、記号および画像情報が表示される。
【００２９】
第２の情報処理装置（腕時計型情報処理装置）１０１は、自装置自体では、中継局（基地局）１０２との通信はおこなわないが、第１の情報処理装置（携帯電話）１００との間の短距離無線通信をおこなうことが可能である。第２の情報処理装置１０１は、本実施の形態においては腕時計型の情報処理装置であるので、通常、所有者（使用者）が常に腕に着用しており、それにより、所有者（使用者）と第１の情報処理装置１００との距離が、短距離無線通信が可能な距離にあるのか否かを判断することができる。
【００３０】
また、第２の情報処理装置（腕時計型情報処理装置）１０１は、その表面に表示画面１２０を備えており、表示画面１２０には、各種の文字、記号および画像情報が表示される。なお、第２の情報処理装置１０１は、腕時計型の情報処理装置に限定されるものではなく、第１の情報処理装置を携帯する所有者（使用者）が常に携帯できるタイプの情報処理装置であればよい。たとえば、首からさげるペンダント型のものや衣服に装着するタイプのものであってもよい。
【００３１】
ここで、第１の情報処理装置（携帯電話）１００と第２の情報処置装置（腕時計型情報処理装置）１０１との短距離無線通信技術として、たとえば、「Ｂｌｕｅｔｏｏｔｈ」を用いることができる。この「Ｂｌｕｅｔｏｏｔｈ」は、周波数帯域は２．４５ＧＨｚ、接続距離のカバー範囲は約１０ｍ、転送レートは１Ｍｂｐｓとなっている。したがって、「Ｂｌｕｅｔｏｏｔｈ」に準拠したポートがあれば、携帯電話、携帯型パーソナルコンピュータ、周辺機器など多様な機器を接続することができる。
【００３２】
（情報処理装置の構成）
つぎに、第１の情報処理装置（携帯電話）１００および第２の情報処理装置（腕時計型情報処理装置）１０１のハードウエア構成について説明する。図２は、本実施の形態にかかる第１および第２の情報処理装置（携帯電話・腕時計型情報処理装置）のハードウエアの構成例を示すブロック図である。
【００３３】
図２のブロック図において、第１の情報処理装置（携帯電話）１００は、制御部２００と、送受信部２０１と、データ変換部２０２と、音声処理部２０３と、スピーカー２０４と、マイク２０５と、スイッチ部２０６と、表示部２０７と、メモリー部２０８と、無線送受信部２０９と、から構成される。
【００３４】
ここで、制御部２００は、たとえば、ＣＰＵ等で構成され、装置全体の制御をおこなう。また、送受信部２０１は、通信ユニット・モデム等で構成され、中継局（基地局）１０２との通信をおこなう。また、データ変換部２０２は、送受信部２０１により受信したデータを音声処理部２０３において音声処理が可能なデータに変換したり、反対に、音声処理部２０３により音声処理されたデータを送受信部２０１において送信可能なデータに変換する。
【００３５】
音声処理部２０３は、データ変換部２０２から送信されたデータをスピーカー２０４から出力可能な音声データに変換する。また反対に、マイク２０５から入力された音声をデータ変換部２０２へ送信するためのデータに変換する。スピーカー２０４は音声を出力するものであり、マイク２０５は音声を入力するものである。
【００３６】
また、スイッチ部２０６は、情報処理装置に対して各種の操作をおこなうためのものであり、たとえば、キーボード、タッチパネル等である。また、携帯電話の場合は、テンキー、電源スイッチ等である。また、表示部２０７は、ＴＦＴ液晶ディスプレイ等、操作内容や操作結果等を図１に示した表示画面１１０に表示する。
【００３７】
また、メモリー部２０８は、各種ＲＯＭ、ＲＡＭ等から構成され、制御部２００がおこなうプログラムや、各種データ（携帯電話の場合の電話帳データ等を含む）を格納することができる。さらに、無線送受信部２０９は、腕時計型情報処理装置１０１との通信を司る。
【００３８】
なお、送受信部２０１、データ変換部２０２、音声処理部２０３、無線送受信部２０９はそれぞれ、メモリー部２０８等の記録媒体に記録されたプログラムに記載された命令にしたがって制御部２００が命令処理を実行することにより、各部の機能を実現するものである。
【００３９】
また、第２の情報処理装置（腕時計型情報処理装置（子機））１０１は、子機制御部２１０と、子機送受信部２１１と、子機表示部２１２と、子機スイッチ部２１３と、子機メモリー部２１４と、から構成される。
【００４０】
ここで、子機制御部２１０は、たとえばＣＰＵ等のマイクロプロセッサーで構成され、子機全体の制御をおこなう。また、子機送受信部２１１は、第１の情報処理装置１００との通信を司る。すなわち、携帯電話１００から無線通信によってデータを受信する。なお、子機送受信部２１１は、子機メモリー部２１４等の記録媒体に記録されたプログラムに記載された命令にしたがって子機制御部２１０が命令処理を実行することにより、各部の機能を実現する。
【００４１】
また、子機表示部２１２は、図１に示したように腕時計型情報処理装置１０１の表面の表示画面１２０により構成され、時間を表示することはもとより、第１の情報処理装置（携帯電話）１００との通信状況、操作内容や操作結果等を表示する。また、子機スイッチ部２１３は、図示は省略するが、腕時計型情報処理装置１０１の側面または上面に設けられたスイッチ等により構成され、子機に対して各種の操作をおこなう。子機メモリー部２１４は、各種ＲＯＭ、ＲＡＭ等から構成され、子機制御部２１０がおこなうプログラムや、各種データを格納することができる。
【００４２】
子機制御部２１０は、子機表示部２１２における表示制御もあわせておこなう。すなわち、子機送受信部２１１によって受信されたデータに基づいて、携帯電話１００の表示部２０７（表示画面１１０）に表示される内容の全部または一部と同一の内容を子機表示部２１２（表示画面１２０）に表示する。また、子機制御部２１０は、子機送受信部２１１によって受信されたデータに基づいて、携帯電話１００の表示部２０７（表示画面１１０）に表示される内容と異なる内容であって、携帯電話１００の表示部２０７（表示画面１１０）に表示される内容と関連する内容を子機表示部２１２（表示画面１２０）に表示する。
【００４３】
（情報処理装置の処理手順）
図３は、本実施の形態にかかる情報処理装置の処理の手順一例を示すフローチャートである。図３において、まず、図１に示した第２の情報処理装置（腕時計型情報処理装置）１０１の表示画面１２０に内容を表示すべき表示指示があったか否かを判断する（ステップＳ３０１）。ここで、表示指示とは、図２に示した腕時計型情報処理装置１０１の子機スイッチ部２１３から入力された指示であってもよく、また、第１の情報処理装置（携帯電話）１００のスイッチ部２０６から入力され子機送受信部２１１により受信した指示であってもよい。
【００４４】
ステップＳ３０１において、表示指示があるのを待って、表示指示があった場合（ステップＳ３０１肯定）は、つぎに、ステップＳ３０１において指示された表示内容を持っているか、すなわち、既に子機メモリー部２１４に記憶されているか否かを判断する（ステップＳ３０２）。ここで、既に持っている場合（ステップＳ３０２肯定）は、ステップＳ３０５へ移行する。
【００４５】
一方、ステップＳ３０２において、表示内容を持っていない場合（ステップＳ３０２否定）は、携帯電話１００に対して、その表示内容を送信するよう要求する（ステップＳ３０３）。その後、ステップＳ３０３において送信要求した表示内容を受信したか否かを判断し（ステップＳ３０４）、受信するのを待って、受信した場合（ステップＳ３０４肯定）は、ステップＳ３０５へ移行する。そして、ステップＳ３０５において、表示内容を表示画面１２０に表示し（ステップＳ３０５、一連の処理を終了し、ステップＳ３０１の状態へ戻る。
【００４６】
（表示画面の内容）
つぎに、表示画面の内容について説明する。図４〜図７は、第１の情報処理装置（携帯電話）１００の表示画面１１０および第２の情報処理装置（腕時計型情報処理装置）１０１の表示画面１２０の表示内容を示す説明図である。
【００４７】
図４において、携帯電話１００の表示画面１１０には、バッテリー残量を表す電池型の図形を示す電池記号４０１と、通信状態、すなわち電波感度を表すアンテナ型の図形を示すアンテナ記号４０２と、現在の日付、曜日、時間とが表示されている。また、腕時計型情報処理装置１０１の表示画面１２０にも、携帯電話１００の表示画面１１０に表示された内容と同様の内容（電池記号４０１、アンテナ記号４０２、現在の日付、曜日、時間）が表示されている。
【００４８】
このように、同一内容を表示するモードにおいては、携帯電話１００の表示画面１１０と腕時計型情報処理装置１０１の表示画面１２０の内容は常に同一であり、携帯電話１００の表示画面１１０を見ることができないときでも、腕時計型情報処理装置１０１の表示画面１２０を見ることにより、携帯電話１００の表示画面１１０の内容を認識することができる。たとえば、携帯電話１００をカバン等に入れている状態であっても、携帯電話１００をカバン等から取り出すことなく、腕時計型情報処理装置１０１の表示画面１２０を見ることにより表示画面１１０の内容を認識することができる。
【００４９】
また、携帯電話１００の表示画面１１０は、通常、スピーカー２０４の近傍に設置されているため、操作者が携帯電話のスピーカー２０４を耳に当てて通話している間は、表示画面１１０に表示されている内容を見ることはきわめて困難である。そこで、表示画面１１０に表示する内容と同一の内容を腕時計型情報処理装置１０１の表示画面１２０に表示し、表示画面１２０を見ることにより、通話中でも携帯電話１００の表示画面１１０に表示される内容を認識することができる。
【００５０】
特に、電話番号等、携帯電話１００に記憶されたデータについて会話にて伝える際には有効である。すなわち、表示画面１１０の表示内容を確認するため、スピーカー２０４から耳を離し、確認後、再度スピーカー２０４に当てる等の煩わしさを解消することができるとともに、表示内容を見ながら会話をすることができるので、より正確にデータを相手に伝えることができる。
【００５１】
図５において、腕時計型情報処理装置１０１の表示画面１２０には、受信されたメールの内容が表示され、携帯電話１００の表示画面１１０には、送信メールの内容が表示されている。また、５０１は、送信メール作成の際に表示されるカーソルである。このように、両表示画面において異なる内容であるが、両者が関連する内容を表示することにより、両方の内容を同時に見ることができる。すなわち、腕時計型情報処理装置１０１の表示画面１２０に受信メールを表示させ、その受信メールの内容を見ながら、その内容に合わせて送信メール（返信メール）を容易に作成することができる。
【００５２】
また、図６において、携帯電話１００の表示画面１１０に表示する内容と腕時計型情報処理装置１０１の表示画面１２０に表示する内容とを連結し、あたかも一つの画面のように内容を表示することにより、横方向に長いデータを途中で折り返すことなくあるいは折り返しをより少なくして、見やすくすることもできる。
【００５３】
また、携帯電話１００の表示画面１１０に表示する内容の下位の階層に存在する情報を腕時計型情報処理装置１０１の表示画面１２０に表示するようにしてもよい。たとえば、図７において、表示画面１１０に「天気予報」というタイトルとその地域（「１．東京都」７０１、「２．千葉県」７０２、「３．神奈川県」７０３）を表示する。そして、表示画面１２０には、その地域の天気予報の内容を表示する。
【００５４】
具体的には、「１．東京都」７０１に対しては、その下位の階層に存在する情報である「東京都地方の天気  晴れ  ２５℃」７１１が表示され、「２．千葉県」７０２に対しては、同様に「千葉県地方の天気  晴れ時々曇り  ２４℃」７１２が表示され、「３．神奈川県」７０３に対しては、「神奈川県地方の天気  晴れ後曇り  ２５℃」７１３が表示される。
【００５５】
したがって、表示画面上１１０において所定の情報を選択することによりその下位の階層に存在する情報を表示画面１２０に表示することができ、表示画面１１０に表示された他の情報を図示を省略するカーソル等を用いて選択することにより、それぞれ対応する下位の階層に存在する情報を表示画面１２０に表示することができる。
【００５６】
以上説明したように、本実施の形態によれば、子機送受信部２１１が、携帯電話１００から無線通信によってデータを受信し、子機制御部２１０が、子機表示部２１２を制御して、子機送受信部２１１により受信されたデータに基づいて、携帯電話１００の表示画面１１０に表示される内容の全部または一部と同一の内容を表示画面１２０に表示するため、携帯電話１００の表示画面１１０を見ることができないあるいは困難な場合であっても、その表示内容を容易に確認することができ、これにより、表示される表示内容を確認する際の操作者の利便性を向上させることができる。
【００５７】
また、本実施の形態によれば、表示画面１２０に表示される内容が、携帯電話１００のバッテリー残量に関する情報、すなわち電池記号４０１であるため、携帯電話１００の表示画面１１０を見ることができないあるいは困難な場合であっても、携帯電話１００のバッテリー残量を容易に確認することができる。
【００５８】
また、本実施の形態によれば、表示される内容が、携帯電話１００が基地局１０２との通信をおこなう際の通信の状態（電波感度）に関する情報であるため、携帯電話１００の表示画面１１０を見ることができないあるいは困難な場合であっても、携帯電話１００の通信状態（電波感度）を容易に確認することができる。
【００５９】
また、本実施の形態によれば、子機送受信部２１１が、携帯電話１００から無線通信によってデータを受信し、子機制御部２１０が子機表示部２１２を制御して、子機送受信部２１１により受信されたデータに基づいて、携帯電話１００の表示画面１１０に表示される内容と異なる内容であって、携帯電話１００の表示画面１１０に表示される内容と関連する内容を表示するため、携帯電話１００の表示画面１１０に表示される表示内容と、その表示内容に関連する内容とを同時に見ることができる。
【００６０】
また、本実施の形態によれば、表示される内容が、携帯電話１００の表示画面１１０に表示される内容の下位の階層に存在する情報に関する内容であるので、携帯電話１００の表示画面１１０に表示された表示内容と、その表示内容の下位の階層の内容とを同時に見ることができる。
【００６１】
また、本実施の形態によれば、腕に装着可能な情報処理装置であるため、常に携帯することが容易におこなえ、腕を持ち上げるだけで表示画面の内容を見ることができる。
【００６２】
なお、本実施の形態で説明した情報処理方法は、あらかじめ用意されたプログラムを実行することにより実現することができる。このプログラムは、ハードディスク、フロッピーディスク、ＣＤ−ＲＯＭ、ＭＯ、ＤＶＤ等のコンピュータで読み取り可能な記録媒体に記録され、情報処理装置によって記録媒体から読み出されることによって実行される。またこのプログラムは、上記記録媒体を介して、あるいは伝送媒体としてインターネット等のネットワークを介して配布することができる。
【００６３】
【発明の効果】
以上説明したように、本発明によれば、他の情報処理装置から無線通信によってデータを受信し、受信されたデータに基づいて、前記他の情報処理装置の表示画面に表示される内容の全部または一部と同一の内容を表示するため、前記他の情報処理装置の表示画面を見ることができないあるいは困難な場合であっても、その表示内容を容易に確認することができ、これにより、表示される表示内容を確認する際の操作者の利便性を向上させることが可能な情報処理装置が得られるという効果を奏する。
【００６４】
また、本発明によれば、表示される内容が、前記他の情報処理装置のバッテリー残量に関する情報であるため、前記他の情報処理装置の表示画面を見ることができないあるいは困難な場合であっても、前記他の情報処理装置のバッテリー残量を容易に確認することができ、これにより、表示される表示内容を確認する際の操作者の利便性を向上させることが可能な情報処理装置が得られるという効果を奏する。
【００６５】
また、本発明によれば、表示される内容が、前記他の情報処理装置が外部装置との通信をおこなう際の通信の状態に関する情報であるため、前記他の情報処理装置の表示画面を見ることができないあるいは困難な場合であっても、前記他の情報処理装置の通信状態（電波感度）を容易に確認することができ、これにより、表示される表示内容を確認する際の操作者の利便性を向上させることが可能な情報処理装置が得られるという効果を奏する。
【００６６】
また、本発明によれば、他の情報処理装置から無線通信によってデータを受信し、受信されたデータに基づいて、前記他の情報処理装置の表示画面に表示される内容と異なる内容であって、前記他の情報処理装置の表示画面に表示される内容と関連する内容を表示するため、前記他の情報処理装置の表示画面に表示される表示内容と、その表示内容に関連する内容とを同時に見ることができ、これにより、表示される表示内容を確認する際の操作者の利便性を向上させることが可能な情報処理装置が得られるという効果を奏する。
【００６７】
また、本発明によれば、表示される内容が、前記他の情報処理装置の表示画面に表示される内容の下位の階層に存在する情報に関する内容であるので、前記他の情報処理装置の表示画面に表示された表示内容と、その表示内容の下位の階層の内容とを同時に見ることができ、これにより、表示される表示内容を確認する際の操作者の利便性を向上させることが可能な情報処理装置が得られるという効果を奏する。
【００６８】
また、本発明によれば、腕に装着可能な情報処理装置であるため、常に携帯することが容易におこなえ、腕を持ち上げるだけで表示画面の内容を見ることができ、これにより、表示される表示内容を確認する際の操作者の利便性を向上させることが可能な情報処理装置が得られるという効果を奏する。
【００６９】
また、本発明によれば、他の情報処理装置からデータを受信し、受信されたデータに基づいて、前記他の情報処理装置の表示画面に表示される内容の全部または一部と同一の内容を表示するため、前記他の情報処理装置の表示画面を見ることができないあるいは困難な場合であっても、その表示内容を容易に確認することができ、これにより、表示される表示内容を確認する際の操作者の利便性を向上させることが可能な情報処理方法が得られるという効果を奏する。
【００７０】
また、本発明によれば、他の情報処理装置からデータを受信し、受信されたデータに基づいて、前記他の情報処理装置の表示画面に表示される内容と異なる内容であって、前記他の情報処理装置の表示画面に表示される内容と関連する内容を表示するため、前記他の情報処理装置の表示画面に表示される表示内容と、その表示内容に関連する内容とを同時に見ることができ、これにより、表示される表示内容を確認する際の操作者の利便性を向上させることが可能な情報処理方法が得られるという効果を奏する。
【００７１】
また、本発明によれば、表示される内容が、前記他の情報処理装置の表示画面に表示される内容の下位の階層に存在する情報に関する内容であるため、前記他の情報処理装置の表示画面に表示された表示内容と、その表示内容の下位の階層の内容とを同時に見ることができ、これにより、表示される表示内容を確認する際の操作者の利便性を向上させることが可能な情報処理方法が得られるという効果を奏する。
【００７２】
また、本発明によれば、前記方法をコンピュータに実行させるプログラムを記録したことで、そのプログラムを機械読み取り可能となり、これにより、前記方法をコンピュータによって実現することが可能な記録媒体が得られるという効果を奏する。
【図面の簡単な説明】
【図１】本実施の形態にかかる情報処理装置を含む情報処理システムの構成例を示す説明図である。
【図２】本実施の形態にかかる情報処理装置（携帯電話・腕時計型情報処理装置）のハードウエアの構成例を示すブロック図である。
【図３】本実施の形態にかかる情報処理装置の処理の手順を示すフローチャートである。
【図４】本実施の形態にかかる情報処理装置（携帯電話・腕時計型情報処理装置）の表示画面の内容を示す説明図である。
【図５】本実施の形態にかかる情報処理装置（携帯電話・腕時計型情報処理装置）の表示画面の別の内容を示す説明図である。
【図６】本実施の形態にかかる情報処理装置（携帯電話・腕時計型情報処理装置）の表示画面の別の内容を示す説明図である。
【図７】本実施の形態にかかる情報処理装置（携帯電話・腕時計型情報処理装置）の表示画面の別の内容を示す説明図である。
【符号の説明】
１００  第１の情報処理装置（携帯電話）
１０１  第２の情報処理装置（腕時計型情報処理装置）
１０２  中継局（基地局）
１１０，１２０  表示画面
２００  制御部
２０１  送受信部
２０２  データ変換部
２０３  音声処理部
２０４  スピーカー
２０５  マイク
２０６  スイッチ部
２０７  表示部
２０８  メモリー部
２０９  無線送受信部
２１０  子機制御部
２１１  子機送受信部
２１２  子機表示部
２１３  子機スイッチ部
２１４  子機メモリー部
４０１  電池記号
４０２  アンテナ記号
【図１】
0003750910.tif 000002
【図２】
0003750910.tif 000003
【図３】
0003750910.tif 000004
【図４】
0003750910.tif 000005
【図５】
0003750910.tif 000006
【図６】
0003750910.tif 000007
【図７】
0003750910.tif 000008